(57)【要約】【課題】コストを削減する上で有利なカメラ及び撮像制御装置を提供する。【解決手段】頬当てパッド９０は肩掛け用凹部３１を肩に載せた状態で頬に臨む左側のカバー部材３３に設けられている。左側のカバー部材３３（側壁）は、筐体３０内部に配置され発熱する部材に臨む部分が前記発熱する部材から側方に離れた箇所を通る第１の壁部３３１０を有している。頬当てパッド９０は、エラストマーで形成されており、射出成形で形成されている。頬当てパッド９０は、第１の壁部３３１０のほぼ上半部の領域を覆うように取着されている。頬当てパッド９０は、第１の壁部３３１０の内側から係合凹部３３１２の底壁を挿通しボス部９２の雌ねじ９２０２に螺合されたねじ９２０４により第１の壁部３３１０の上半部の領域に取着されている。【選択図】        図１
2006295757.tif 000002
【特許請求の範囲】
【請求項１】
被写体像を撮影して撮像信号を生成するカメラ部と、
前記カメラ部に脱着可能に連結され前記撮像信号が入力されるとともにその撮像信号を映像信号に変換し外部装置に供給する撮像制御装置と、
前記カメラ部の筐体の下部と前記撮像制御装置の筐体の下部とにわたって上方に窪むように設けられた肩掛け用凹部と、
前記肩掛け用凹部を肩に載せた状態で頬に臨む前記撮像制御装置の筐体の側壁に設けられた頬当てパッドとを備えるカメラであって、
前記頬に臨む撮像制御装置の筐体の側壁は金属材料で形成され、
前記側壁は、前記筐体内部に配置され発熱する部材に臨む部分が前記発熱する部材から側方に離れた箇所を通る第１の壁部を有し、
前記頬当てパッドは、エラストマーで形成され、
前記頬当てパッドは、前記第１の壁部の一部の領域を覆うように取着されている、
ことを特徴とするカメラ。
【請求項２】
前記頬当てパッドが前記第１の壁部の一部の領域に臨む内面に、互いに間隔をおいて複数のボス部が突出形成され、前記第１の壁部の一部の領域に前記複数のボス部がそれぞれ係合される係合凹部が形成され、前記頬当てパッドは、前記第１の壁部の内側から前記係合凹部の底壁を挿通し前記ボス部に螺合されたねじにより前記第１の壁部の一部の領域に取着されていることを特徴とする請求項１記載のカメラ。
【請求項３】
前記頬当てパッドが前記第１の壁部の一部の領域に臨む内面に、上下左右に延在する複数のリブが膨出形成され、これらのリブが前記第１の壁部の一部の領域に接触した状態で前記頬当てパッドが前記第１の壁部の一部の領域に取着されていることを特徴とする請求項１記載のカメラ。
【請求項４】
前記筐体内部に配置され発熱する部材は、前記撮像制御装置を動作させるための電力を供給する電源であることを特徴とする請求項１記載のカメラ。
【請求項５】
被写体像を撮影して撮像信号を生成するカメラ部に脱着可能に連結され前記撮像信号が入力されるとともにその撮像信号を映像信号に変換し外部装置に供給する撮像制御装置であって、
前記撮像制御装置の筐体の側壁は、前記筐体内部に配置され発熱する部材に臨む部分が前記発熱する部材から側方に離れた箇所を通る第１の壁部を有し、
頬当てパッドが前記第１の壁部の一部の領域を覆うように設けられ、
前記頬当てパッドが設けられる前記第１の壁部は金属材料で形成され、
前記頬当てパッドは、エラストマーで形成されている、
ことを特徴とする撮像制御装置。
【発明の詳細な説明】
【技術分野】
【０００１】
本発明はカメラおよびカメラ部から供給される撮像信号を映像信号に変換する撮像制御装置に関する。
【背景技術】
【０００２】
カメラ、特に、放送局などで使用される業務用カメラとして、被写体像を撮影して撮像信号を生成するカメラ部と、前記撮像信号を映像信号に変換し外部装置であるカメラコントロールユニットに供給する撮像制御装置とを別々に設け、それらカメラ部と撮像制御装置とを脱着可能に連結したものが提供されている。
このようなカメラは使用者が肩の上に載せて使用するため、撮像制御装置の筐体に頬当てパッドが設けられている。
従来、このような頬当てパッドとして、合成樹脂からなる心材の表面をエラストマーからなるパッド部で覆うように２色成形で形成し、パッド部が頬に当て付けられるように筐体の側壁に取り付けられたものが提案されている（特許文献１参照）。
【特許文献１】特開平８−２７９９４６号公報
【発明の開示】
【発明が解決しようとする課題】
【０００３】
しかしながら、このような２色成形で形成された頬当てパッドは、合成樹脂とエラストマーの２つの材料が必要となり、また、２色成形を行うため２種類の金型が必要であることからコストを削減する上で不利があった。
本発明はこのような事情に鑑みなされたものであり、その目的は、コストを削減する上で有利なカメラ及び撮像制御装置を提供することにある。
【課題を解決するための手段】
【０００４】
上述の目的を達成するため、本発明は、被写体像を撮影して撮像信号を生成するカメラ部と、前記カメラ部に脱着可能に連結され前記撮像信号が入力されるとともにその撮像信号を映像信号に変換し外部装置に供給する撮像制御装置と、前記カメラ部の筐体の下部と前記撮像制御装置の筐体の下部とにわたって上方に窪むように設けられた肩掛け用凹部と、前記肩掛け用凹部を肩に載せた状態で頬に臨む前記撮像制御装置の筐体の側壁に設けられた頬当てパッドとを備えるカメラであって、前記頬に臨む撮像制御装置の筐体の側壁は金属材料で形成され、前記側壁は、前記筐体内部に配置され発熱する部材に臨む部分が前記発熱する部材から側方に離れた箇所を通る第１の壁部を有し、前記頬当てパッドは、エラストマーで形成され、前記頬当てパッドは、前記第１の壁部の一部の領域を覆うように取着されていることを特徴とする。
また、本発明は、被写体像を撮影して撮像信号を生成するカメラ部に脱着可能に連結され前記撮像信号が入力されるとともにその撮像信号を映像信号に変換し外部装置に供給する撮像制御装置であって、前記撮像制御装置の筐体の側壁は、前記筐体内部に配置され発熱する部材に臨む部分が前記発熱する部材から側方に離れた箇所を通る第１の壁部を有し、頬当てパッドが前記第１の壁部の一部の領域を覆うように設けられ、前記頬当てパッドが設けられる前記第１の壁部は金属材料で形成され、前記頬当てパッドは、エラストマーで形成されていることを特徴とする。
【発明の効果】
【０００５】
本発明のカメラおよび撮像制御装置によれば、筐体の側壁が発熱する部材から側方に離れた箇所を通る第１の壁部を有し、この第１の壁部の一部の領域を覆うようにエラストマーで形成された頬当てパッドが取着されている。
したがって、発熱する部材と第１の壁部との間に空間が確保され、この空間によって発熱する部材からの熱が第１の壁部および頬当てパッドに伝達されることを効果的に防止できることは無論のこと、従来に比べて頬当てパッドは１つの材料であるエラストマーで形成されるため材料の数が少なくて済み、また、成形のための金型も１つで足りるため、コストを削減する上で有利となる。
また、従来構造では、２色成形を行うため、清掃の際に用いられるアルコール液などが浸透してパッド部が心材から剥がれやすく、美観を向上する上で不利があったのに対し、本発明では、頬当てパッドを筐体の壁部とを別個に設けるので、従来公知の様々な取り付け手段により頬当てパッドを筐体の壁部に確実に取り付けることができ、従来のようにパッド部が剥離するといった不具合はなく、美観を向上する上で有利である。
【発明を実施するための最良の形態】
【０００６】
以下、本発明を、カメラが業務用カメラである場合を例にとって説明するが、本発明は業務用カメラ以外のカメラにも無論適用される。
（第１の実施の形態）
次に本発明の第１の実施の形態について図面を参照して説明する。
図２０は第１の実施の形態における撮像制御装置を有する業務用カメラの右側面図、図２１は同業務用カメラの左側面図、図２２は図２０のＡ矢視図である。
図２３は第１の実施の形態における撮像制御装置の断面図である。
図２４は第１の実施の形態における撮像制御装置の斜視図、図２５は同撮像制御装置のカバーを取り外した状態を示す斜視図、図２６は図２５のＸＸ線断面図である。
図２７は第１の実施の形態における撮像制御装置のフレームの斜視図、図２８は図２７のＡ矢視図、図２９は図２７のＢ矢視図、図３０は図２７のＣ矢視図、図３１は図２７のＤ矢視図、図３２は図２７のＥ矢視図、図３３は図２７のＦ矢視図である。
図３４は撮像制御装置の右側面図、図３５は図３４のＸＸ線断面図である。
図３６（Ａ）はカバーの平面図、（Ｂ）は（Ａ）のＢ矢視図である。
図３７（Ｃ）は図３６（Ｂ）のＣ矢視図、（Ｄ）は（Ｃ）のＤ矢視図である。
図３８（Ｅ）は図３６（Ａ）のＥ矢視図、（Ｆ）は図３６（Ａ）のＦ矢視図である。
図３９はフレームの上壁における水滴の移動を示す説明図である。
【０００７】
図２０乃至図２２に示すように、業務用カメラ１００は、カメラ部１０と、電子機器としての撮像制御装置２０とを備え、カメラ部１０の後部と撮像制御装置２０の前部とは脱着可能に連結されている。
業務用カメラ１００は複数台が同時に使用されるものであり、複数台の業務用カメラ１００の各撮像制御装置２０にケーブルを介してそれぞれカメラコントロールユニットが接続され、それらカメラコントロールユニットはマスター制御装置に接続されており、各業務用カメラ１００とマスター制御装置との間で、あるいは、各業務用カメラ１００とカメラコントロールユニットとの間で映像、音声などのやり取りがなされ、また、業務用カメラ１００同士で音声のやり取りがなされるように構成されている。
カメラ部１０は、撮像素子が組み込まれた筐体１２と、筐体１２の前面に設けられ被写体を前記撮像素子に導く鏡筒１４と、筐体１２の上部に設けられた取っ手１６などを備えている。
鏡筒１４には着脱可能に交換レンズ１８が装着されている。
【０００８】
図２４、図２５に示すように、撮像制御装置２０は、筐体３０と、筐体３０に収容された電装部と、カバー５０とを備えている。
なお、本明細書において撮像制御装置２０の左右は撮像制御装置２０を後方（被写体と反対側）から見た状態でいうものとする。
筐体３０は、上下方向の高さと前後方向の長さと左右方向の幅を有するフレーム３２と、フレーム３２に取着されるカバー部材３３とを含んで構成されている。
なお、カメラ部１０の筐体１４の下部と、撮像制御装置２０の筐体３０の下部とにわたって、肩に掛けるための上方に窪んだ肩掛け用凹部３１が設けられている（図２０、図２１参照）。
図２７に示すように、フレーム３２は、前部３４と、前部３４の後端から後方に突出する後部３６と、前部３２０２の下部後端から後方に突出する下部３８とを備えている。
図２３に示すように、前部３４には、電装部を構成する複数のプリント基板１０２が収容されている。
図２２に示すように、後部３６が一方の側方に臨む側面箇所には前記カメラコントロールユニットに接続されるケーブル用のコネクタ１０８が設けられ、後部３６が斜め下方に臨む下面箇所には前記音声のやり取りを行うためのインカム（通話装置）を接続する２つのコネクタ１１０が設けられている。
また、後部３６には操作パネル６０が設けられ、操作パネル６０には、後述する複数の操作部材６２や表示部６４などが設けられている。
また、下部３８には、コネクタパネル１１２が設けられ、このコネクタパネル１１２には後述する複数のコネクタ１１３が設けられている。
なお、前記電装部は、カメラ部１０から供給される撮像信号を映像信号、例えばコンポーネント信号（Ｙ／Ｒ−Ｙ／Ｂ−Ｙ信号）に変換し、前記カメラコントロールユニットに伝送する機能を有しており、前記映像信号は電気信号として変換される場合と光信号として変換される場合がある。
また、前記電装部は、前述した映像、音声などのやり取りを行うための機能、外部に電源を給電するための機能も有している。
【０００９】
図２４に示すように、フレーム３２の前部３４の前面には、カメラ部１０の後面に着脱可能に連結される着脱部３９が設けられている。
【００１０】
図２５に示すように、筐体３０は、より詳細には、フレーム３２は、前部３４の上面と後部３６の上面とにわたって上方に臨む上壁４０を備えている。
カバー５０は、上壁４０に着脱可能に取着され、上壁４０に取着されることで上壁４０との間に空間Ｓを画成しつつ上壁４０を覆うように形成されている。
【００１１】
図２７、図２８、図３５に示すように、上壁４０の左右方向の中間部に、前部３４の内部および後部３６の内部に連通する複数の放熱用の通風孔４２が設けられている。
通風孔４２は断面が円形であり、上壁４０に通風孔４２の周囲を囲むように上壁４０から円筒状の起立壁４４が突設されている。
また、図２７、図２８に示すように、上壁４０には、ビューファインダーなどのアクセサリー取り付け用のボス部４６が複数突設され、ボス部４６の上端面には雌ねじ４６０２が形成されている。
また、上壁４０の四隅には、カバー取り付け用のボス部４８がそれぞれ突設され、ボス部４８の上端面には雌ねじ４８０２が形成されている。
【００１２】
図３５乃至図３８に示すように、カバー５０は通風孔４２を含む上壁４０の表面の箇所を覆う矩形状の本体壁５２と、本体壁５２の四辺から屈曲された側壁５４を有しており、前部の側壁５４は他の側壁５４よりも下方に突出して形成されている。
本体壁５２が上壁４０に臨む面（空間Ｓに臨む面）がカバー５０の内面５００２であり、内面５００２と反対側の面がカバー５０の外面５００４であり、本体壁５２は内面５００２と外面５００４との間の厚さを有している。
通風孔４２に臨む本体壁５２の部分を除いた箇所に、内面５００２と外面５００４とを連通するように放熱用の通風路５６が設けられている。
通風路５６は、図３６（Ａ）、図３７（Ｃ）に示すように、本例では、本体壁５２上を前後に延在する溝５６０１として形成され、この溝５６０１は左右に間隔をおき複数設けられている。
本例では、通風路５６は、通風孔４２の左右両側に位置するように本体壁５２の左右両端寄りの箇所においてそれぞれ左右に間隔をおき本体壁５２上を前後方向に延在する３つの溝５６０１で形成されている。
通風路５６は、図３５に示すように、筐体３０の上壁４０（内面５００２に臨む区間Ｓ）がカバー５０の外方に露出しないように屈曲した形状で形成されている。なお、通風路５６を筐体３０の上壁４０がカバー５０の外方に露出しないように湾曲した形状で形成してもよいことは無論である。
本例では、通風路５６は、カバー５０の外面５００４から内面５００２に向かって延在する上路部分５６０２と、上路部分５６０２の下端から本体壁５２の厚さ方向と直交する方向に延在する横路部分５６０４と、横路部分５６０４の下端から内面５００２に向かって延在し内面５００２に開口する下路部分５６０６とで構成され、内面５００２と外面５００４とを連通している。
【００１３】
図３５、図３７（Ｃ）に示すように、通風孔４２と通風路５６との間に位置する本体壁５２の内面５００２箇所に、上壁４０に向かって突出する水滴跳ね返り防止用壁部５８が設けられている。
本例では、本体壁５２の左右の両端寄りの箇所にそれぞれ設けられた複数の溝５６０１のうち、最も通風孔４２に近い溝５６０１が本体壁５２の内面５００２に開口される箇所で通風孔４２寄りの箇所に、本体壁５２の内面５００２から上壁４０に向かって突出する水滴跳ね返り防止用壁部５８が、最も通風孔４２に近い溝５６０１の延在方向に沿って延在形成されている。
図３６（Ａ）、図３７（Ｃ）に示すように、本体壁５２には、カバー５０を上壁４０に取り付けた状態でボス部がカバー５０の外面に露出する円形の窓５２１０が複数形成されている。
また、図２６、図３６（Ａ）に示すように、本体壁５２には、カバー５０を上壁４０に合わせた状態でボス部４８の雌ねじ４８０２に臨むようにボルト取り付け座５２１２が貫通形成されている。
図３６（Ｂ）、図３７（Ｄ）に示すように、側壁５４には、前後に間隔をおいて水抜き孔５９が複数形成されている。水抜き孔５９は切り欠きとして形成されていてもよい。
【００１４】
図３２において、符号１０４は前記電装部の一部を構成する電源を示し、符号１０６は排気ファンを示している。
電源１０４は、撮像制御装置２０を動作させるための電力を供給するものであって、電装部を構成する部材、部品のうち最も発熱量が大きいものである。
排気ファン１０６は、筐体３０内の温度が上昇した際に回転駆動されるもので、排気ファン１０６の回転により外気が複数の通風路５６、空間Ｓ、複数の通風孔４２を通って筐体３０の内部に導かれ、電源１０４を含む電装部の回りを通ってそれら電装部を外気により冷却し、その外気を排気孔３５から筐体３０の外部に排出させるように構成されている。
なお、排気ファン１０６によって外気を通風路５６、空間Ｓ、通風孔４２を通して筐体３０の内部に導くようにすることで、排気ファン１０６の騒音が通風路５６、空間Ｓ、通風孔４２を通して筐体３０の上方の外部に放出され、これにより、撮像制御装置２０を肩に載せて使用している使用者の耳元に伝達されることを防止している。
図２４、図２６に示すように、カバー５０は、ボルト５１がボルト取り付け座５２１２を介してカバー取り付け用のボス部４８の雌ねじ４８０２に螺合されることで筐体３０の上壁４０に取着される。
図３５に示すように、カバー５０が上壁４０に取着された状態で、通風孔４２に臨む本体壁５２の部分を除いたカバー５０の箇所に通風路５６が設けられ、かつ、通風路５６は筐体３０の上壁４０がカバー５０の外方に露出しないように屈曲した形状で形成されている。
【００１５】
上述のように通風孔４２および通風路５６を備えれば、撮像制御装置２０を雨天などの環境下で使用し上方からカバー５０の外面に水滴が落下した場合に、水滴は、屈曲した通風路５６の箇所にいったんぶつかりその勢いが緩和された後、通風路５６を通って上壁４０に滴下され、上壁４０上に導かれる。上壁４０上に溜まった水は、カバー５０の水抜き用孔５９からカバー５０の外方へ排出される。
この際、上壁４０に滴下される水滴はその勢いが弱くなっているため、上壁４０に当たった水滴の飛まつが通風孔４２へ侵入することを防止でき、しかも、通風路５６による空気の流通が確保された状態を維持できるので、水の侵入を確実に防止しつつ筐体３０内の温度が上昇した空気を効率的に筐体３０外部に逃がす上で有利となる。
また、通風孔４２と通風路５６との間に位置する本体壁５２の内面４００２箇所に、上壁４０に向かって突出する水滴跳ね返り防止用壁部５８が設けられているので、上壁４０に滴下された水滴の飛まつが通風孔４２へ侵入することをより確実に防止することができる。
なお、水滴跳ね返り防止用壁部５８を、通風路５６が本体壁５２の内面４００２に開口される箇所で通風孔４２寄りの箇所に設ければ、上壁４０に滴下された水滴の飛まつが通風孔４２へ侵入することを防止する上でより有利となる。
また、カバー５０と通風孔４２を含む上壁４０の間に空気が流通可能なスポンジなどの吸水性部材を介在させることで、水滴の飛まつが通風孔４２に侵入することを防止する構成も考えられる。この場合には吸水性部材が吸収可能な水の量に限界があり、また、吸水性部材のコストが余分にかかるが、上記構成では、このような吸水性部材は必要とせず前記不都合はない。
【００１６】
また、上壁４０に設けた通風孔４２が円形であり、通風孔４２の周囲を囲むように円筒状の起立壁４４が上壁４０から突設されているため、図３９に示すように、筐体３０が水平状態から左右方向に傾斜した際に、図中矢印で示すように、上壁４０上面に溜まった水が起立壁４４の円筒状の外周面をその周方向に沿って円滑に移動され、水抜き用孔５９からカバー５０の外方へ排出されるため、上壁４０上面に溜まった水が起立壁４４を乗り越えて通風孔４２内に侵入することを防止する上で有利となる。
これに対して、通風孔４２が角型であり、上壁４０に通風孔４２の四辺を囲むように断面が矩形枠状の起立壁４４が形成されていた場合には、筐体３０が左右方向に傾斜した際に、上壁４０上面に溜まった水は起立壁４４の外面で停滞しやすく、停滞した水が起立壁４４を乗り越えて通風孔４２内に侵入することが懸念されるが、上記構成では、そのような不都合を確実に防止できる。
また、上記構成では、排気ファン１０６が動作しない場合には、筐体３０内で電源１０４により暖められた空気が上方に移動し通風孔４２、空間Ｓ、通風路５６を通って円滑に外部に逃げる。
一方、排気ファン１０６が動作した場合には、通風路５６、空間Ｓ、通風孔４２を通って外気が筐体３０の内部に流入する空気流れが形成されるが、この場合にも、通風路５６が筐体３０の上壁４０がカバー５０の外方に露出しないように屈曲した形状で形成され、さらに、通風孔４２と通風路５６との間に水滴跳ね返り防止用壁部５８が位置しているので、水滴の飛まつが通風孔４２へ侵入することを確実に防止することができる。
【００１７】
次に、図３９を参照して通風路の変形例について説明する。
図４０（Ａ）は通風路の変形例１の断面図、（Ｂ）は通風路の変形例２の断面図を示す。
変形例１、２では、ともに通風路５６は左右に間隔をおき前後に延在する溝により形成されている。
変形例１では、通風路５６が設けられる本体壁５２部分に、前後に延在する厚さの薄い底壁５６１２が設けられ、底壁５６１２の上方に前後に延在する帯板５６１４が設けられ、さらに、帯板５６１４の下方の底壁５６１２部分と、底壁５６１２の内側部分とにそれぞれ前後に延在する溝５６１６、５６１８が形成されている。
そして、溝の延在方向と直交する断面の形状が、帯板５６１４の左右両側においてカバー５０の外面５００４から内面５００２に向かって延在する上路部分５６０２と、帯板５６１４の下方において上路部分５６０２の下端から本体壁５２の厚さ方向と直交する方向に延在する横路部分５６０４と、横路部分５６０４の下端から内面５００２に向かって延在し内面５００２に開口する下路部分５６０６（溝５６１６、５６１８）とで構成されている。
変形例２では、通風路５６が設けられる本体壁５２部分に、前後に延在する厚さの薄い底壁５６１２が設けられ、底壁５６１２の上方に前後に延在する帯板５６１４が設けられ、帯板５６１４の下方の底壁５６１２部分に前後に延在する溝５６１６が形成されている。
さらに、帯板５６１４の下面の左右方向の中央部には下方に突出する補強リブ５６２０が帯板５６１４の長手方向に沿って延在形成され、補強リブ５６２０の下部は溝５６１６内に位置している。
そして、溝の延在方向と直交する断面の形状が、帯板５６１４の左右両側においてカバー５０の外面５００４から内面５００２に向かって延在する上路部分５６０２と、帯板５６１４の下方において上路部分５６０２の下端から本体壁５２の厚さ方向と直交する方向に延在する横路部分５６０４と、補強リブ５６２０の左右両側において横路部分５６０４の下端から内面５００２に向かって延在し内面５００２に開口する下路部分５６０６とで構成されている。
このような変形例１、２の通風路５６によっても上記と同様な効果が奏される。
【００１８】
次に、図４１を参照して起立壁４４の変形例について説明する。
図４１は通風孔４２および起立壁４４付近の断面図を示す。
この変形例に係る起立壁４４では、上壁４０から円形の通風孔４２の周囲を囲むように円筒状に突設され、さらに起立壁４４の上部外周面の全周にわたり半径方向外方に突出する環板状のフランジ４４２０が設けられている。
このような変形例の起立壁４４によれば、上記と同様な効果が奏されることは無論のこと、フランジ４４２０を備えるので、上壁４０上面に溜まった水が起立壁４４を乗り越えて通風孔４２内に侵入することを防止する上でより有利となる。
【００１９】
次に、上壁４０の上面の変形例について説明する。
図４２は上壁４０の上面の変形例の断面図である。
この変形例では、上壁４０の上面に、断面がドーム状の多数の微細な凸部４０２０を形成したものである。
この変形例によれば、通風路５６を通って上壁４０の上面上に侵入した水滴の勢いを、凸部４０２０の湾曲した面により減衰でき、上壁４０に当たった水滴の飛まつが通風孔４２へ侵入することを防止する上でより有利となる。
【００２０】
次に操作パネルの構成について、図１５乃至図１９、図２１を参照して詳細に説明する。
図１５は第１の実施形態における撮像制御装置の操作パネルの分解斜視図である。
図１６（Ａ）は操作パネルを構成する基板の平面図、（Ｂ）は（Ａ）のＢ矢視図である。
図１７は印刷シートの構成を示す断面図、図１８は印刷シートの製造工程を示す説明図である。
図２１に示すように、筐体３０の後部３６には操作パネル６０が設けられ、前述したように操作パネル６０には、撮像制御装置２０の操作を行うための複数の操作部材６２と、各操作部材６２に近接して操作部材６２の機能用途が表示された表示部６４などが設けられている。
また、操作パネル６０の上下部における後部３６部分には、複数の操作部材６２および表示部６４保護用のガイドバー３７（図１９、図２０参照）がそれぞれ後方に突出するように設けられている。
図２１に示すように、複数の操作部材６２は、前記カメラコントロールユニットとの間で画像のやり取りを行うために操作されるＴＡＬＬＹスイッチ６２０２、ＲＥＴ１ボタン６２０４、ＲＥＴボタン６２０６、ＲＥＴ２／３／４スイッチ６２０８と、インターカムによる音声のやり取りを行うために操作されるＰＧＭ（プログラム）１／２レベル調整つまみ６２１０、ＩＮＣＯＭレベル調整つまみ６２１２、ＰＲＯＤ／ＥＮＧスイッチ６２１４、ＭＩＣ／ＬＥＶＥＬスイッチ６２１６と、後述する光源のオンオフを行うためのライトスイッチ６２１８などである。
表示部６４は、例えば、操作部材６２がＲＥＴ１ボタン６２０４である場合には、表示部６４は「ＲＥＴ１」として表示され、ＰＧＭ（プログラム）１／２レベル調整つまみ６２１０である場合には、「ＰＧＭ１」、「ＰＧＭ２」として表示され、ライトスイッチ６２１８である場合には、「ＬＩＧＨＴ」、「ＯＮ」、「ＯＦＦ」として表示される。
【００２１】
図１５に示すように、操作パネル６０は、筐体３０の後部３６に取着される基板６６と、この基板６６の上に重ねられる取り付け板６８と、この取り付け板６８の上に重ねられる印刷シート７０とで構成されている。
図１５、図１６に示すように、基板６６には、複数の操作部材６２が支持されるとともに表示部６４に対応する箇所にそれぞれ光源７２が後方に向けて設けられている。
なお、図１５において、符号６２Ａは操作部材６２の操作される箇所（レバースイッチの場合にはレバーであり、ボタンスイッチの場合はボタンであり、ボリュームの場合には回転用のつまみである）を示し、符号６２Ｂは操作部材６２の操作に応じて作動する電気接片や摺動部が収容されたケースを示している。
光源７２は、白色の発光ダイオードで構成され、後方に向けて光を発するように基板６６に取着されている。
基板６６の下部には、手元照明用の光源７４が設けられている。手元照明用の光源７４は白色の発光ダイオードで構成され、光を下方に向けて発するように基板６６に取着されている。
なお、複数の光源７２および手元照明用の光源７４の光の色は白色以外の色であってもよいことは無論である。
【００２２】
複数の光源７２と手元照明用の光源７４の点灯、滅灯の制御について図１９を参照して説明する。
図１９は複数の光源７２と手元照明用の光源７４の制御を行う制御部分の構成を示すブロック図である。
基板６６には、複数の光源７２と手元照明用の光源７４を制御する構成として、前記のライトスイッチ６２１８と、制御手段７６と、駆動手段７８とが設けられている。
本例では、ライトスイッチ６２１８はレバースイッチで構成され、「ＬＩＧＨＴ」、「ＯＮ」、「ＯＦＦ」の３つの切り換えがなされるように構成されている。
駆動手段７８は、複数の光源７２を点灯させるための第１の駆動信号Ｓ１と、手元照明用の光源７４を点灯させるための第２の駆動信号Ｓ２とを生成し、複数の光源７２と手元照明用の光源７４にそれぞれ供給するものである。
制御手段７６は、ライトスイッチ６２１８の切り換え動作に応じて第１、第２の駆動信号Ｓ１、Ｓ２のオン、オフを制御するものである。
このような制御手段７６、駆動手段７８は、マイクロコンピュータやデジタルＩＣを含む従来公知の様々な回路によって実現可能である。
本例では、ライトスイッチ６２１８が「ＬＩＧＨＴ」の位置に切り換えられると、制御手段７６によって駆動手段７６が制御され、第１の駆動信号Ｓ１がオフ、第２の駆動信号Ｓ２がオンとなり、複数の光源７２が同時に点灯し、手元照明用の光源７４が滅灯する。
また、ライトスイッチ６２１８が「ＯＮ」の位置に切りかえられると、制御手段７６によって駆動手段７６が制御され、第１、第２の駆動信号Ｓ１、Ｓ２の双方がオンとなり、複数の光源７２と手元照明用の光源７４の双方が同時に点灯する。
また、ライトスイッチ６２１８が「ＯＦＦ」の位置に切りかえられると、制御手段７６によって駆動手段７６が制御され、第１、第２の駆動信号Ｓ１、Ｓ２の双方がオンとなり、複数の光源７２と手元照明用の光源７４の双方が同時に滅灯する。
【００２３】
図１５に示すように、取り付け板６８は、基板６６に重ね合わされる第１の板部６８Ａと、第１の板部の下端から屈曲された第２の板部６８Ｂを備えている。
第１の板部６８Ａに、複数の操作部材６２の挿通孔６８０２がそれぞれ設けられるとともに複数の光源７２に対応した箇所に各表示部６４に対応した大きさ、形状の窓６８０４がそれぞれ形成されている。
第２の板部６８Ｂには、手元照明用の光源７４に対応した箇所に手元照明用窓６８０６が形成され、手元照明用窓６８０６には光を拡散する拡散板６８０７が設けられている。
また、第２の板部６８Ｂには、前述したインカム接続用の２つのコネクタ１１０の挿通孔６８０８がそれぞれ設けられている。
【００２４】
図１５に示すように、印刷シート７０には、複数の操作部材６２の挿通孔７００２がそれぞれ設けられるとともに複数の窓６８０４に対応した箇所に前記の表示部６４がそれぞれ形成されている。
図１７に示すように、印刷シート７０は、透明基板７０１０に４層の印刷層７０１２、７０１４、７０１６、７０１８が積層して印刷されることで構成された多層印刷シートである。
透明基板７０１０は厚さ方向の一方の面が表面７０１０Ａ、他方の面が背面７０１０Ｂとして構成されている。
【００２５】
印刷シート（多層印刷シート）７０は次のように製造される。
まず、図１７に示すように、透明基板７０１０の背面７０１０Ｂに第１の印刷層７０１２を形成する。
図１８（Ａ）に示すように、第１の印刷層７０１２は、白色塗料によって形成される枠７０１２Ａ、各挿通孔７００２の位置を示すマーク７０１２Ｂなどを有している。
次に、図１７に示すように、第２の印刷層７０１４を第１の印刷層７０１２の上に重ねて形成する。
図１８（Ｂ）に示すように、第２の印刷層７０１４は、光を透過しない不透明な塗料、本例では黒色の不透明な塗料によって、表示部６４を除く背面７０１０Ｂの全域を覆うように、より詳細には、表示部６４をなす操作部材６２の機能用途の表示を除く背面７０１０Ｂの全域を覆うように矩形に構成されている。
したがって、表示部６４は、第２の印刷層７０１４に透明ないわゆる抜き文字として形成されることになる。
【００２６】
次に、図１７に示すように、第３の印刷層７０１６を第２の印刷層７０１４の上に重ねて形成する。
図１８（Ｃ）に示すように、第３の印刷層７０１６は、光を透過する不透明な塗料、本例では白色の不透明な塗料によって、第２の印刷層７０１４の内側に位置するように第２の印刷層７０１４よりも小さい矩形の輪郭で全ての表示部６４を含む領域を覆うように構成されている。なお、第３の印刷層７０１６は、本例では、全ての表示部６４の部分を含む領域を覆うように構成されているが、各表示部６４のみをそれぞれ覆うものであってもよい。
次に、図１７に示すように、第４の印刷層７０１８を第３の印刷層７０１６の上に重ねて形成する。
図１８（Ｄ）に示すように、第４の印刷層７０１８は、光を透過する不透明な塗料、本例では橙色の不透明な塗料によって、最上位の表示部６４を除く残りの全ての表示部６４を覆う矩形の輪郭で構成されている。したがって、第３の印刷層７０１８の背面の最上部には、第４の印刷層７０１８が形成されていない領域が存在する。
なお、透明基板７０１０の表面７０１０Ａに印刷層を形成すると、表面７０１０Ａに物があたって印刷層が剥がれる不具合が生じるが、本例のように印刷シート７０の背面７０１０Ｂに全ての印刷層を形成することで前記の不具合を解消できる利点がある。
【００２７】
次に、印刷シート７０における表示部６４の表示について説明する。
印刷シート７０は、図１７に示すように、第４の印刷層７０１８が取り付け板６８に重ねられて取着される。
透明基板７０１０の背面７０１０Ｂ側で、第４の印刷層７０１８が形成されている領域に臨む箇所に位置する光源７２が点灯した場合には、光源７２の光は、取り付け板６８の窓６８０２を通り、第４の印刷層７０１８を通過することで橙色となり、第３の印刷層７０１６を経て第２の印刷層７０１４の表示部６４を通り、第１の印刷層７０１２、透明基板７０１０を通過して表面７０１０Ａから後方に向けて橙色の光が照射される。
したがって、透明基板７０１０の後方から、すなわち、筐体３０の後方から操作パネル６０を見ると、表示部６４が橙色の光で発光した状態で視認されることになる。
また、第４の印刷層７０１８が形成されていない領域、すなわち第３の印刷層７０１６に臨む箇所に位置する光源７２が点灯した場合には、光源７２の光は第３の印刷層７０１６を通過することで白色となり、第２の印刷層７０１４の表示部６４、第１の印刷層７０１２、透明基板７０１０を通過して白色の光が後方に照射される。
したがって、透明基板７０１０の後方から、すなわち、筐体３０の後方から操作パネル６０を見ると、表示部６４が白色の光で発光した状態で視認されることになる。
また、光源７２が滅灯し、かつ、筐体３０の後方が明るい環境下では、外光が透明基板７０１０の表面７０１０Ａ側から背面７０１０Ｂに向かって進行し、第１の印刷層７０１２を通過して第２の印刷層７０１４の表示部６４を通過し第３の印刷層７０１６に至る。
ここで、第３の印刷層７０１６で反射された光は白色となり、再び、第２の印刷層７０１４の表示部６４の部分、第１の印刷層７０１２、透明基板７０１０を通過して表面７０１０Ａから後方に至る。
したがって、筐体６０の後方から操作パネル６０を見ると、表示部６４が白色の光で反射した状態で視認されることになる。
【００２８】
上述のような構成の基板６６、取り付け板６８、印刷シート７０を備えると、スタジオや舞台、あるいは、夜間など暗い環境下において業務用カメラ１００が使用されている場合、ライトスイッチ６２１８を「ＬＩＧＨＴ」に切り換えると、複数の光源７２が点灯し、手元照明用の光源７４が滅灯する。これにより各表示部６４が複数の光源７２によって照明され、使用者は照明された各表示部６４を容易に視認することができ、所望の操作部材６２を誤ることなく的確に操作することが可能となり、操作性を向上する上で有利となる。
また、ライトスイッチ６２１８を「ＯＮ」に切り換えると、複数の光源７２と手元照明用の光源７４の双方が点灯する。これにより各表示部６４が照明されることに加えて、手元照明用の光源７４の光が手元照明用窓６８０６の拡散板６８０７を通過して操作パネル６０の下方に向けて拡散された状態で照射されるため、使用者の手元を明るく照らすことができ、暗い環境下であっても台本などの書類や時計などを容易に視認することができ業務用カメラ１００の利便性を向上する上で有利となる。
また、ライトスイッチ６２１８を「ＯＦＦ」に切り換えると、複数の光源７２と手元照明用の光源７４の双方が滅灯する。これにより各表示部６４および拡散板６８０７の部分が暗くなるため、暗い環境下においてなるべく光を発生させたくない場合に有利となる。
また、昼間の屋外など明るい環境下で業務用カメラ１００が使用されている場合には、ライトスイッチ６２１８を「ＯＦＦ」に切り換えて複数の光源７２と手元照明用の光源７４の双方を滅灯すれば、前記したように各表示部６４が外光により白色で表示され表示部６４の視認が容易となる。したがって、明るい環境下では、複数の光源７２と手元照明用の光源７４に対する第１、第２の駆動信号Ｓ１、Ｓ２の供給をオフとして電力消費を抑制しつつ、表示部６４の視認性を確保することができ有利となる。
また、操作パネルの表示部を畜光塗料で印刷した場合には、表示部が所定時間発光し続けた状態となる。したがって、コンサートホールやテレビスタジオなどでの撮影において発光した表示部が業務用カメラ１００の後方にいる観客の視野に入るなどして鑑賞の妨げになるおそれがある。特に業務用カメラ１００の移動や方向転換に伴い発光した表示部が断続的に観客の視野に入ると、あたかも光が点滅しているかのようになり目障りとなる。
これに対して本例では、ライトスイッチ６２１８を設けることにより撮影状況や撮影環境に応じて表示部６４の複数の光源７２と手元照明用の光源７４を適宜点灯、滅灯できるので、表示部６４の光が観客の鑑賞の妨げになることを確実に防止することができ有利である。
【００２９】
なお、本例では、複数の光源７２が点灯し、手元照明用の光源７４が滅灯する状態と、複数の光源７２と手元照明用の光源７４の双方が点灯する状態と、複数の光源７２と手元照明用の光源７４の双方が滅灯する状態とを選択的に切り換えるようにした場合について説明したが、複数の光源７２と手元照明用の光源７４の点灯、滅灯の組み合わせは、これに限定されるものではない。
例えば、複数の光源７２をオフ、手元照明用の光源７４をオンとする組み合わせを追加すれば、表示部６４の照明をしない状態で手元の照明のみ行うことができる。
また、複数の光源７２と手元照明用の光源７４の双方をオンする組み合わせに代えて、光源７２をオフ、光源７４をオンとする組み合わせを採用してもよい。
また、複数の光源７２の点灯、点滅を切り換えるオンオフ手段と、手元照明用の光源７４の点灯、点滅を切り換えるオンオフ手段を設けてもよい。
【００３０】
また、暗い環境下において複数の光源７２と手元照明用の光源７４の双方がオフの状態であった場合には、ライトスイッチ６２１８の位置を見出すことが難しい。
したがって、ガイドバー３７に物（人）との接触を検出するタッチセンサを設け、このタッチセンサの検出信号を制御手段７６に供給し、制御手段７６がタッチセンサの検出信号に基づいて光源７２に第１の駆動信号Ｓ１を供給するように構成してもよい。
この場合、ガイドバー３７は操作パネル６０の上下部における後部３６から後方に突出しているのでガイドバー３７を暗い環境下において手探りで触ることは容易であり、暗い環境下であっても容易に表示部６４を照明して視認でき有利である。
なお、ガイドバー３７を触ったときに第１の駆動信号Ｓ１を複数の光源７２に継続的に供給してもよいし、所定時間（例えば１０秒程度）だけ第１の駆動信号Ｓ１を複数の光源７２に供給し、前記所定時間が経過したら第１の駆動手段Ｓ１の供給を停止するようにしてもよい。この場合には、複数の光源７２が点灯している間にライトスイッチ６２１８の操作を行うことができる。
【００３１】
また、撮像制御装置２０に周囲の明るさを検出する光センサを設け、この光センサの検出信号を図１９における制御手段７６に供給し、制御手段７６がセンサの検出信号に基づいて前記明るさが所定の明るさ以下となったと判定したならば、複数の光源７２に第１の駆動信号Ｓ１を供給するように構成してもよい。前記所定の明るさは、例えば表示部６４を視認することが難しい程度の明るさに設定される。
このような構成によれば、暗い環境下においては人間による操作を行うことなく自動的に表示部６４の照明を行うことができ、利便性を向上させる上でより有利となる。
【００３２】
また、複数の光源７２と手元照明用の光源７４の光量を調整する光量調整手段を設けてもよい。このような光量調整手段による光量の調整は、例えば、駆動手段７８から複数の光源７２と手元照明用の光源７４に供給する第１、第２の駆動信号Ｓ１、Ｓ２の双方あるいは一方の大きさを調整することで行うことができる。
光量調整手段は、前記の操作部材６２と同様の操作部材（操作スイッチや操作つまみ）を有し、その操作部材を例えば操作パネル６０に設けてもよく、その操作部材の操作によって光量を調整するように構成される。
このような光量調整手段を設けた場合には、複数の光源７２と手元照明用の光源７４の光量を調整することで使用者が表示部６４や手元の物を視認しやすくすることができる。
【００３３】
次にキャップ部材の構成について、図１０乃至図１４を参照して詳細に説明する。
図１０は第１の実施の形態におけるキャップ部材の斜視図、図１１（Ａ）はキャップ部材の平面図、（Ｂ）は（Ａ）のＢ矢視図、図１２（Ｃ）は図１１（Ｂ）のＣ矢視図、（Ｄ）は（Ｃ）のＤ矢視図、図１３（Ｅ）は図１０（Ａ）のＥ矢視図、（Ｆ）は図１０（Ａ）のＦ矢視図である。
図１４はキャップ部材の取り付け状態を示す説明図である。
【００３４】
まず、コネクタパネル１１２の構成について図２２を参照して説明する。
コネクタパネル１１２に設けられた複数のコネクタ１１３は、業務用カメラ１００の使用者（カメラマン）とトラッカーとの通話、業務用カメラ１００の使用者とインカム（インターカム）との送受信用信号の授受を行うためのＴＲＡＣＫＥＲ（トラッカー）コネクタ１１４、ＡＣアダプターあるいはバッテリーから直流電源の供給を受けるためのＤＣＩＮ（ＤＣ電源入力）コネクタ１１６、リターンビデオ信号を出力するＲＥＴＵＲＮ（リターンビデオ信号出力）コネクタ１１８、文字などを表示するプロンプターに対するプロンプタービデオ入出力信号用のＰＲＯＭＰＴＥＲ（プロンプター信号入出力）コネクタ１２０、直流電源を外部の装置（アクセサリー）に供給するためのＤＣＯＵＴ（ＤＣ電源出力）コネクタ１２２、外部からの音声を入力するためのＡＵＤＩＯ  ＩＮ  ＣＨ１（オーディオ入力チャンネル１）コネクタ１２４、ＡＵＤＩＯ  ＩＮ  ＣＨ２（オーディオ入力チャンネル２）コネクタ１２６、撮像制御装置２０に対して遠隔制御を行うリモートコントロールパネルやリモートコントロールユニットを接続するＲＥＭＯＴＥ（リモート）コネクタ１２８、リターンビデオ信号選択信号とインターカムマイクのオンオフ制御信号を入力するＲＥＴＣＴＲＬ（リターンコントロール）コネクタ１３０、イヤホンを接続することでインターカムの音声とプログラムの音声を切り換えてモニタできるＥＡＲＯＰＨＯＮＥ（イヤホン）ジャック１３２などである。
また、ＴＲＡＣＫＥＲコネクタ１１４に近接したコネクタパネル１１２箇所には、このＴＲＡＣＫＥＲコネクタ１１４の機能用途（名称）を示す「ＴＲＡＣＫＥＲ」という文字からなる表示部１１５が設けられている。また、ＲＥＴＵＲＮコネクタ１１８に近接したコネクタパネル１１２箇所には、このＲＥＴＵＲＮコネクタ１１８の機能用途（名称）を示す「ＲＥＴＵＲＮ」という文字からなる表示部１１５が設けられている。
同様に各コネクタ１１３に近接したコネクタパネル１１２箇所には、そのコネクタ１１３の機能用途（名称）を示す表示部１１５が設けられている。
【００３５】
なお、図２２において、符号１４０はＡＵＤＩＯ  ＩＮ  ＣＨ１コネクタ１２４、ＡＵＤＩＯ  ＩＮ  ＣＨ２コネクタ１２６に入力される音声信号の設定を行うためのオーディオ信号選択スイッチであり、ＦＲＯＮＴ、ＲＥＡＲ、ＬＩＮＥの３つに切り換えられる。ＦＲＯＮＴに切り換えられるとカメラからの入力音声をオーディオ信号として選択し、ＲＥＡＲに切り換えら得ると、ＡＵＤＩＯ  ＩＮ  ＣＨ１コネクタ１２４、ＡＵＤＩＯ  ＩＮ  ＣＨ２コネクタ１２６からの入力された信号をカメラコントロールユニットに出力し、ＬＩＮＥに切り換えられると、ＡＵＤＩＯ  ＩＮ  ＣＨ１コネクタ１２４、ＡＵＤＩＯ  ＩＮ  ＣＨ２コネクタ１２６からの入力された信号のレベルを所定値に設定する。
また、符号１４２はＡＵＤＩＯ  ＩＮ  ＣＨ１コネクタ１２４、ＡＵＤＩＯ  ＩＮ  ＣＨ２コネクタ１２６への電源供給を行うか行わないかを設定するマイクロフォン電源供給モード選択スイッチである。
【００３６】
図１４に示すように、キャップ部材８０は複数のコネクタ１１３をそれぞれ覆うものである。
図１０乃至図１４に示すように、キャップ部材８０は、複数のコネクタ１１３にそれぞれ個別に装着される複数のキャップ８２と、複数のキャップ８２相互を連結する可撓可能な複数の連結片８４とを備えている。
本例では、連結片８４は、複数のコネクタ１１３に装着される全てのキャップ８２を連結している。
連結片８４は透明な材料で形成され、キャップ部材８０がコネクタパネル１１２に装着された状態で表示部１１５を視認できるように図られている。本例では、キャップ８２と連結片８４が透明なエラストマーを用いて一体に形成されている。
各連結片８４は、任意の１つのキャップ８２のみを装脱できる長さで形成されている。
例えば、隣接するコネクタ１１３相互の距離が短い場合には、図１１（Ａ）に示すように、連結片８４Ａは、該連結片８４が接続する２つのキャップ８２の中心を結ぶ想像線Ｌ１に対してずれた箇所を通るように設けられ、これにより連結片８４の長さを確保している。
また、例えば、図１１（Ａ）に示すように、連結片８４Ｂは、該連結片８４が接続する２つのキャップ８２の中心を結ぶ想像線Ｌ２に対してずれた箇所を通りかつ屈曲して形成され、これにより連結片８４の長さを確保している。
【００３７】
また、脱着の使用頻度の高いキャップ８２に摘み片８６が突設されている。摘み片８６に、該摘み片８６を筐体に取着するための孔８６０２が形成されている。すなわち、脱着の使用頻度の高いキャップ８２では、摘み片８６に指を掛けることでキャップ８２の装脱を簡単に行えるようにし、かつ、このキャップ８２に接続する連結片８４を切断し、孔８６０２に紐などを挿通してこの紐の端部を筐体３０（コネクタパネル１１２）の適宜箇所に取着しておくことで、キャップ８２を紛失することなくキャップ８２の脱着を行えるようにしている。
また、長さの大きい連結片８４には取り付け片８８が突設されている。取り付け片８８に、その長さの大きい連結片８４を筐体に取着するためのねじ挿通孔８８０２が（本例では２個のねじ挿通孔８８０２が）形成されている。すなわち、ねじ挿通孔８８０２に挿通したねじを筐体３０（コネクタパネル１１２）に螺合することで連結片８４の部分を筐体に取着し、キャップ部材８０の一部を筐体３０に取り付け、キャップ部材８０の紛失防止が図られている。
【００３８】
上述のようなキャップ部材８０を備えると、任意のキャップ８２のみをコネクタ１１３から取り外すとともに、残りのキャップ８２を各コネクタ１１３に装着した状態とすることができる。
したがって、複数のコネクタ１３１の使用状態の如何に拘わらず、各キャップ８２を紛失することなく、各コネクタ１１３に装着されたキャップ８２により防塵、防水の機能を確実に発揮する上で有利となる。
また、キャップ８２と連結片８４が透明なエラストマーを用いて一体に形成されているため、コネクタパネル１１２に設けられた表示部１１５の上に連結片８４が重ねられても表示部１１５を視認することができ使い勝手を向上する上で有利となる。
また、キャップ８２と連結片８４が透明なエラストマーを用いて一体に形成され、キャップ８２が弾力性を有していることから、コネクタ１１３から外したキャップ８２が隣接するコネクタ１１３に連結されたケーブル側のコネクタに当たっても、キャップ８２が合成樹脂材料で形成されている場合と異なり、耳障りな音が発生することを防止でき、使い勝手を向上する上で有利となる。
【００３９】
また、単一のコネクタ１１３に装脱可能なキャップを備え、キャップを取り付け片とねじを介して筐体３０に連結することでキャップの紛失を防止するキャップ部材が従来から用いられており、このようなキャップ部材を複数のコネクタ１１３の全てに設ける場合も考えられる。
しかしながら、この場合には、取り付け片の筐体への取り付け作業をキャップの数だけ行わなくてはならず、作業が繁雑となる点で不利がある。
また、このような従来のキャップ部材では、その取り付け片は、コネクタの基端部が挿通される孔が形成された環状部と、この環状部とキャップを接続する帯状部とを有し、前記環状部がコネクタ１１３の基端とコネクタパネル１１２の間に挟持される構成のものが多い。
このため、キャップ部材の取り付け、取り外しに際しては、コネクタ１１３のコネクタパネル１１２に対する取り付け、取り外しも同時に行わなくてはならず、例えば、キャップ部材の交換作業を行う場合にその作業が極めて繁雑なものとなる。
これに対して本例では、キャップ部材８０の取り付け片８８をねじを介して筐体３０（コネクタパネル１１２）に螺合することで連結片８４の部分を筐体３０に取着でき、キャップ部材８０の取り付け作業を簡単に行える点で有利となる。
また、キャップ部材８０を交換する際にも、コネクタ１１３をコネクタパネル１１２から取り外すことなく、取り付け片８８をコネクタパネル１１２に取り付けているねじを着脱するだけでよく、作業が極めて簡単となる。
【００４０】
なお、本例では、連結片８４が複数のコネクタ１１３に装着される全てのキャップ８２を連結している場合について説明したが、連結片８４が複数のコネクタ１１３に装着されるキャップ８２の一部を連結するのみであってもよいことは無論である。この場合には、複数のキャップ部材８０を用意し複数のキャップ部材８０のキャップ８２によって複数のコネクタ１１３の全てをそれぞれ覆うことができるようにすればよい。
また、本例では、キャップ８２と連結片８４が透明なエラストマーを用いて一体に形成されている場合について説明したが、キャップ８２と連結片８４の一方あるいは双方を不透明な材料で形成することは任意である。しかしながら、少なくとも連結片８４を透明な材料で形成した場合には連結片８４によって表示部１１５が見えなくなることを防止できる点で有利となる。
また、本例では、取り付け片８８を用いた場合について説明したが、使用していないキャップ８２がコネクタ１１３に装着されていることからキャップ部材８０の紛失を防止でき、したがって、取り付け片８８を省略してもよい。
また、キャップ８２と連結片８４が別体に形成され接着などにより一体的に構成されていてもよい。
また、キャップ８２と連結片８４の一方あるいは双方をエラストマー以外の材料、例えば、可撓性を有する合成樹脂材料で構成することは任意である。
【００４１】
次に本発明の頬当てパッドについて説明する。
図１は頬当てパッド近傍の断面図である。
図２は頬当てパッドの斜視図、図３（Ａ）は頬当てパッドの平面図、（Ｂ）は（Ａ）のＢ矢視図、図４（Ｃ）は図３（Ｂ）のＣ矢視図、（Ｄ）は（Ｃ）のＤ矢視図、図５（Ｅ）は図３（Ａ）のＥ矢視図、（Ｆ）は図３（Ａ）のＦ矢視図である。
図６は頬当てパッドが取着されるカバー部材の斜視図、図７（Ａ）はカバー部材の平面図、（Ｂ）は（Ａ）のＢ矢視図、図８（Ｃ）は図７（Ｂ）のＣ矢視図、（Ｄ）は（Ｃ）のＤ矢視図、図９（Ｅ）は図７（Ａ）のＥ矢視図、（Ｆ）は図７（Ａ）のＦ矢視図である。
【００４２】
図２４に示すように、フレーム３２の左右には、それぞれカバー部材３３が取着され、これらカバー部材３３によって前部３４、後部３６、下部３８の左右の側方が覆われている。
本実施の形態では、カバー部材３３により筐体３０の側壁が形成されている。
頬当てパッド９０は、図２１に一点鎖線のハッチングで示すように、肩掛け用凹部３１を肩に載せた状態で頬に臨む左側のカバー部材３３に設けられている。
頬に臨む筐体３０の側壁、すなわち、左側のカバー部材３３は、例えば、アルミニウムあるいはマグネシウムなどの放熱性に優れるとともに、衝撃に耐えうる強度を備えた金属材料で形成されている。
図１に示すように、左側のカバー部材３３（側壁）は、筐体３０内部に配置され発熱する部材に臨む部分が前記発熱する部材から側方に離れた箇所を通る第１の壁部３３１０を有している。第１の壁部３３１０は、図２１に示すように、左側のカバー部材３３（側壁）のほぼ前半部を構成している。
本実施の形態では、発熱する部材は前述した電源１０４である。
【００４３】
頬当てパッド９０は、エラストマーで形成されており、射出成形で形成されている。
頬当てパッド９０は、図２１に示すように、第１の壁部３３１０のほぼ上半部の領域を覆うように取着されている。
より詳細には、図１乃至図５に示すように、頬当てパッド９０が第１の壁部３３１０のほぼ上半部の領域に臨む内面９００２に、互いに間隔をおいて複数のボス部９２が突出形成されている。ボス部９２には、金属製の雌ねじ９２０２が埋め込まれている。
一方、図１、図６乃至図９に示すように、第１の壁部３３１０のほぼ上半部の領域に複数のボス部９２がそれぞれ係合される係合凹部３３１２が形成されている。
頬当てパッド９０は、図１に示すように、第１の壁部３３１０の内側から係合凹部３３１２の底壁を挿通しボス部９２の雌ねじ９２０２に螺合されたねじ９２０４により第１の壁部３３１０の上半部の領域に取着されている。
また、図１、図２に示すように、頬当てパッド９０が第１の壁部３３１０の上半部の領域に臨む内面９００２に、上下左右に延在する複数のリブ９４が膨出形成されている。そして、これらのリブ９４が第１の壁部３３１０の上半部の領域に接触した状態で頬当てパッド９０が第１の壁部３３１０の上半部の領域に取着されている。
【００４４】
本実施の形態によれば、左側のカバー部材３３（側壁）が前記発熱する部材である電源１０４から側方に離れた箇所を通る第１の壁部３３１０を有し、この第１の壁部３３１０のほぼ上半部の領域を覆うようにエラストマーで形成された頬当てパッド９０が取着されている。
したがって、電源１０４と第１の壁部３３１０との間に空間が確保され、この空間によって電源１０４からの熱が第１の壁部３３１０および頬当てパッド９０に伝達されることを効果的に防止できることは無論のこと、従来に比べて本実施の形態の頬当てパッドは１つの材料であるエラストマーで形成されるため材料の数が少なくて済み、また、成形のための金型も１つで足りるため、コストを削減する上で有利となる。
また、従来構造では心材を構成する合成樹脂とパッド部を構成するエラストマーとの２つの材料が２色成形で形成され、心材に対してパッド部が熱融着によって接合されている。このため、例えばアルコールや水などを用いてパッド部を清掃する際にアルコールや水が前記熱融着された部分（心材とパッド部の境界面）に浸透して作用し、パッド部が心材から剥離してしまう不具合が生じる場合があった。
これに対して本実施の形態では、頬当てパッド９０をカバー部材３３とは別個に設けられるので、従来公知の様々な取り付け手段により頬当てパッド９０をカバー部材３３に確実に取り付けることができ、例えばアルコールや水などを用いて頬当てパッド９０を清掃しても頬当てパッド９０が剥離するといった不具合がなく、美観を向上する上で有利である。
また、本実施の形態では、頬当てパッド９０に設けた複数のボス部９２をねじ９２０４により第１の壁部３３１０の上半部の領域に取着しているため、頬当てパッド９０の浮き上がりを防止でき、これにより、頬当てパッド９０と第１の壁部３３１０との間の隙間をなくして美観を向上させる上で有利となる。
また、ねじ９２０４により頬当てパッド９０を取着しているので頬当てパッド９０の交換を簡単に行うことができる。
また、本実施の形態では、頬当てパッド９０に形成した複数のリブ９４が第１の壁部３３１０の上半部の領域に接触した状態で頬当てパッド９０が第１の壁部３３１０の上半部の領域に取着されているので、頬当てパッド９０の内面９００２と第１の壁部３３１０との間に空間を確保でき、この空間により電源１０４からの熱が第１の壁部３３１０および頬当てパッド９０に伝達されることを防止する上でより有利となる。
また、複数のリブ９４を形成することで頬当てパッド９０の強度を向上させることができ、このような強度の向上を図ることで、頬当てパッド９０の製造工程において、頬当てパッド９０を金型から外して冷却する際、頬当てパッド９０が変形することを防止する上でも有利となる。
また、頬当てパッド９０を金型を用いて成形する場合、金型内に注入されるエラストマーからガスが発生するが、このガスが金型とエラストマーとの境界に滞留すると、エラストマーの表面、すなわち、頬当てパッド９０の表面に凹凸が形成され美観を損ねるおそれがある。
本実施の形態では、頬当てパッド９０の内面９００２側の金型箇所に設けられるイジェクタピンが挿通される孔を通して、あるいは、ボス部９０に対応する前記金型の凹部箇所に設けたガス抜き用の孔を通して前記ガスを金型内部から逃がすことにより、前記ガスによるエラストマー表面、すなわち、頬当てパッド９０の表面に凹凸が形成されることを防止し、美観を向上させる上で有利となる。
【００４５】
次に、本実施の形態を従来例と比較して説明する。
図４３は従来構造の一例を示す図である。
頬当てパッド２は、硬質の合成樹脂からなる心材４と、心材４の表面側に２色成形で接合されたエラストマーからなるパッド部６とで構成されている。
２色成形について説明すると、心材４はその表面側に位置する上型と内面側に位置する下型からなる２つの金型を用いて成形される。
続いて、下型はそのままで上型のみをエラストマー用の金型に交換し、心材４の表面を下型の型面として用いることで、心材４の表面にエラストマーからなるパッド部６を成形し、心材４の表面にパッド部６を接合する。
心材４は発熱する部材である電源１０４から側方に離れた箇所を通る壁部４Ａを有し、パッド部６はこの壁部４Ａを覆うように設けられている。
心材４の内面には複数のボス４Ｂが突設され、このボス４Ｂが筐体８の側壁８Ａにねじ止めあるいは溶着によって取着されている。
このような従来構造では頬当てパッド２が、心材４を構成する合成樹脂とパッド部６を構成するエラストマーとの２つの材料が２色成形で形成されるので、材料コストがかかる上に、金型の数と製造工程が増えるため製造コストも嵩む点で不利がある。
これに対して本実施の形態では、従来構造に比べて心材４を省略しているので、材料コストおよび製造コストを削減する上で有利となる。
また、従来構造では、２色成形を行うため、エラストマーを成形する際、発生したガスをエラストマーの厚さ方向から逃がすことができない。これは、エラストマー（パッド部６）の内面側には心材４が位置しており、エラストマー（パッド部６）の表面側は体裁面であるため金型（上型）にガス抜きの孔を設けることができないことによる。
したがって、従来構造では、エラストマーで形成されるパッド部６の表面と上型との間にガスが滞留することで凹凸が生じる場合があり美観を向上させる上で不利がある。
これに対して本実施の形態では、エラストマーのうち体裁面ではない内面側からガスを逃がすことができるため、従来構造に比べて、エラストマー表面、すなわち、頬当てパッド９０の表面に凹凸が形成されることを防止でき美観を向上させる上で有利となる。
【図面の簡単な説明】
【００４６】
【図１】頬当てパッド近傍の断面図である。
【図２】頬当てパッドの斜視図である。
【図３】（Ａ）は頬当てパッドの平面図、（Ｂ）は（Ａ）のＢ矢視図である。
【図４】（Ｃ）は図３（Ｂ）のＣ矢視図、（Ｄ）は（Ｃ）のＤ矢視図である。
【図５】（Ｅ）は図３（Ａ）のＥ矢視図、（Ｆ）は図３（Ａ）のＦ矢視図である。
【図６】頬当てパッドが取着されるカバー部材の斜視図である。
【図７】（Ａ）はカバー部材の平面図、（Ｂ）は（Ａ）のＢ矢視図である。
【図８】（Ｃ）は図７（Ｂ）のＣ矢視図、（Ｄ）は（Ｃ）のＤ矢視図である。
【図９】（Ｅ）は図７（Ａ）のＥ矢視図、（Ｆ）は図７（Ａ）のＦ矢視図である。
【図１０】第１の実施の形態におけるキャップ部材の斜視図である。
【図１１】（Ａ）はキャップ部材の平面図、（Ｂ）は（Ａ）のＢ矢視図である。
【図１２】（Ｃ）は図１１（Ｂ）のＣ矢視図、（Ｄ）は（Ｃ）のＤ矢視図である。
【図１３】（Ｅ）は図１０（Ａ）のＥ矢視図、（Ｆ）は図１０（Ａ）のＦ矢視図である。
【図１４】キャップ部材の取り付け状態を示す説明図である。
【図１５】第１の実施形態における撮像制御装置の操作パネルの分解斜視図である。
【図１６】（Ａ）は操作パネルを構成する基板の平面図、（Ｂ）は（Ａ）のＢ矢視図である。
【図１７】印刷シートの構成を示す断面図である。
【図１８】印刷シートの製造工程を示す説明図である。
【図１９】複数の光源７２と手元照明用の光源７４の制御を行う制御部分の構成を示すブロック図である。
【図２０】第１の実施の形態における撮像制御装置を有する業務用カメラの右側面図である。
【図２１】同業務用カメラの左側面図である。
【図２２】図１９のＡ矢視図である。
【図２３】第１の実施の形態における撮像制御装置の断面図である。
【図２４】第１の実施の形態における撮像制御装置の斜視図である。
【図２５】同撮像制御装置のカバーを取り外した状態を示す斜視図である。
【図２６】図２５のＸＸ線断面図である。
【図２７】第１の実施の形態における撮像制御装置のフレームの斜視図である。
【図２８】図２７のＡ矢視図である。
【図２９】図２７のＢ矢視図である。
【図３０】図２７のＣ矢視図である。
【図３１】図２７のＤ矢視図である。
【図３２】図２７のＥ矢視図である。
【図３３】図２７のＦ矢視図である。
【図３４】撮像制御装置の右側面図である。
【図３５】図３４のＸＸ線断面図である。
【図３６】（Ａ）はカバーの平面図、（Ｂ）は（Ａ）のＢ矢視図である。
【図３７】（Ｃ）は図３６（Ｂ）のＣ矢視図、（Ｄ）は（Ｃ）のＤ矢視図である。
【図３８】（Ｅ）は図３６（Ａ）のＥ矢視図、（Ｆ）は図３６（Ａ）のＦ矢視図である。
【図３９】フレームの上壁における水滴の移動を示す説明図である。
【図４０】（Ａ）は通風路の変形例１の断面図、（Ｂ）は通風路の変形例２の断面図を示す。
【図４１】通風孔４２および起立壁４４付近の断面図である。
【図４２】上壁４０の上面の変形例の断面図である。
【図４３】従来構造の一例を示す図である。
【符号の説明】
【００４７】
１００……業務用カメラ、１０……カメラ部、２０……撮像制御装置、３０……筐体、３１……肩掛け用凹部、３３……カバー部材、３３１０……第１の壁部、９０……頬当てパッド。
【図１】
2006295757.tif 000003
【図２】
2006295757.tif 000004
【図３】
2006295757.tif 000005
【図４】
2006295757.tif 000006
【図５】
2006295757.tif 000007
【図６】
2006295757.tif 000008
【図７】
2006295757.tif 000009
【図８】
2006295757.tif 000010
【図９】
2006295757.tif 000011
【図１０】
2006295757.tif 000012
【図１１】
2006295757.tif 000013
【図１２】
2006295757.tif 000014
【図１３】
2006295757.tif 000015
【図１４】
2006295757.tif 000016
【図１５】
2006295757.tif 000017
【図１６】
2006295757.tif 000018
【図１７】
2006295757.tif 000019
【図１８】
2006295757.tif 000020
【図１９】
2006295757.tif 000021
【図２０】
2006295757.tif 000022
【図２１】
2006295757.tif 000023
【図２２】
2006295757.tif 000024
【図２３】
2006295757.tif 000025
【図２４】
2006295757.tif 000026
【図２５】
2006295757.tif 000027
【図２６】
2006295757.tif 000028
【図２７】
2006295757.tif 000029
【図２８】
2006295757.tif 000030
【図２９】
2006295757.tif 000031
【図３０】
2006295757.tif 000032
【図３１】
2006295757.tif 000033
【図３２】
2006295757.tif 000034
【図３３】
2006295757.tif 000035
【図３４】
2006295757.tif 000036
【図３５】
2006295757.tif 000037
【図３６】
2006295757.tif 000038
【図３７】
2006295757.tif 000039
【図３８】
2006295757.tif 000040
【図３９】
2006295757.tif 000041
【図４０】
2006295757.tif 000042
【図４１】
2006295757.tif 000043
【図４２】
2006295757.tif 000044
【図４３】
2006295757.tif 000045